(57)【要約】【課題】ブロック材及び棒状部材を適宜な硬さの部材とすることで、ブロック材の挿入穴に対する棒状部材の挿入を容易にするとともに、挿入後には、不要な姿勢の変化を起こすことなく、かつ人手による積極的に姿勢の変更に際しては容易に姿勢変化する人形を提供する。【解決手段】胴部１１、頭部１２、手１３、足１４、帽子１７等を硬質発泡スチロール製のブロックで構成し、腕２１、脚２２をアルミニウム製の棒状部材で構成する。腕２１の基端部２１ａ、先端部２１ｂをそれぞれ胴部１１の挿入穴１１ｂ、手１３の挿入穴１３ｂに挿入する。脚２２の基端部２２ａ、先端部２２ｂをそれぞれ胴部１１の挿入穴１１ｃ、足１４の挿入穴１４ｂに挿入する。腕２１や脚２２は、ブロックから抜けにくいが、姿勢の変化は容易である。【選択図】図１
0003132490.tif 000002
【実用新案登録請求の範囲】
【請求項１】
ブロック材と棒状部材とを組み合わせることにより、種々のポーズをとりうる人形において、
前記ブロック材は、木材と比較して挿入穴の穿設が容易な部材によって構成され、
前記棒状部材は、容易に塑性変形させうる部材によって構成され、
前記ブロック材に穿設した前記挿入穴に前記棒状部材の端部を挿入することで容姿を形作るとともに、前記ブロック材は、前記挿入穴に挿入された前記棒状部材を所定の姿勢に保持し、かつ人手によって姿勢変化をさせるべく前記棒状部材に力が作用したときには、前記棒状部材の姿勢変化を容易に許容する、
ことを特徴とする人形。
【請求項２】
少なくとも胴部及び頭部が前記ブロック材によって構成され、
少なくとも四肢が前記胴部に挿入された前記棒状部材によって構成されている、
ことを特徴とする請求項１に記載の人形。
【請求項３】
前記ブロック材が、硬質発泡スチロールによって形成され、
前記棒状部材が、アルミニウムによって形成されている、
ことを特徴とする請求項１又は２のいずれか１項に記載の人形。
【請求項４】
前記硬質発泡スチロールの発泡倍率が、１．６〜２０倍である、
ことを特徴とする請求項３に記載の人形。
【請求項５】
前記硬質発泡スチロールの発泡倍率が、２〜５倍である、
ことを特徴とする請求項４に記載の人形。
【請求項６】
前記四肢が屈曲されている、
ことを特徴とする請求項２又は５のいずれか１項に記載の人形。
【考案の詳細な説明】
【技術分野】
【０００１】
本考案は、適度な硬さのブロック材及び棒状部材を組み合わせて構成された、容易に種々のポーズをとりうる人形に関する。
【背景技術】
【０００２】
従来、ブロック状の胴体や頭部に、頚部や四肢に見立てた棒状の部材を差し込んで、人や動物の容姿を形作る人形が知られている。日本において、盆に、きゅうり、にんじん、ナス等の野菜と竹籤とによって形成した人形もその一つであるといえる。
【０００３】
また、ガーデニング用の装飾具として、鉢やポットの近傍に人形を置くことがよく行われる（例えば、特許文献１参照）。
【特許文献１】特開２０００−２０２１６８号公報
【考案の開示】
【考案が解決しようとする課題】
【０００４】
上述のような人形において、ブロック状の胴体や頭部が柔らかすぎる場合には、これらに一旦、棒状の部材を差し込むと穴があけられて棒状の部材が抜けやすくなったり、所望でない姿勢に変化してしまったりする。一方、ブロック状の胴体や頭部が硬すぎる場合には、挿入穴を棒状の部材よりも大きく穿設すると、棒状部材が簡単に抜けてしまい、逆に、挿入穴を棒状の部材よりも小さく穿設すると、棒状の部材を挿入穴に挿入する作業が煩雑なものとなる。
【０００５】
また、特許文献１の人形は、姿勢が一定に固定されていて、姿勢の変化を楽しむということができない。
【０００６】
そこで、本考案は、ブロック材及び棒状部材を適宜な硬さの部材とすることで、ブロック材の挿入穴に対する棒状部材の挿入を容易にするとともに、挿入後には、不要な姿勢の変化を起こすことなく、かつ人手による積極的に姿勢の変更に際しては容易に姿勢変化する人形を提供することを目的とするものである。
【課題を解決するための手段】
【０００７】
請求項１に係る考案は、ブロック材と棒状部材とを組み合わせて構成する人形に関する。この考案に係る人形は、前記ブロック材は、木材と比較して挿入穴の穿設が容易な部材によって構成され、前記棒状部材は、容易に塑性変形させうる部材によって構成され、前記ブロック材に穿設した前記挿入穴に前記棒状部材の端部を挿入することで容姿を形作るとともに、前記ブロック材は、前記挿入穴に挿入された前記棒状部材を所定の姿勢に保持し、かつ人手によって姿勢変化をさせるべく前記棒状部材に力が作用したときには、前記棒状部材の姿勢変化を容易に許容する、ことを特徴としている。
【０００８】
請求項２に係る考案は、請求項１に係る人形において、少なくとも胴部及び頭部が前記ブロック材によって構成され、少なくとも四肢が前記胴部に挿入された前記棒状部材によって構成されている、ことを特徴としている。
【０００９】
請求項３に係る考案は、請求項１又は２に係る人形において、前記ブロック材が、硬質発泡スチロールによって形成され、前記棒状部材が、アルミニウムによって形成されている、ことを特徴としている。
【００１０】
請求項４に係る考案は、請求項３に係る人形において、前記硬質発泡スチロールの発泡倍率が、１．６〜２０倍である、ことを特徴としている。
【００１１】
請求項５に係る考案は、請求項４に係る人形において、前記硬質発泡スチロールの発泡倍率が、２〜５倍である、ことを特徴としている。
【００１２】
請求項６に係る考案は、請求項２ないし５のいずれか１項に係る人形において、前記四肢が屈曲されている、ことを特徴している。
【考案の効果】
【００１３】
請求項１の考案によると、棒状部材を容易に屈曲させることができ、また、棒状部材をブロック材の挿入穴に容易に挿入することができる。つまり、ブロック材及び棒状部材によって容姿を形作ることが容易である。さらに、ブロック材の挿入穴に挿入した棒状部材は、所定の姿勢を保持し、かつ姿勢変化をさせるための力が作用したときには、容易に姿勢変化する。つまり、姿勢変化させるための力が作用しない場合には、その姿勢を保持し、かつ簡単に姿勢変化をさせることができるので、容易に所望の容姿を形作ることができる。
【００１４】
請求項２の考案によると、胴部及び頭部がブロック材によって構成され、四肢が棒状部材によって構成されているので、例えば、人間や動物の容姿を模して、興趣あふれる人形を形作ることができる。
【００１５】
請求項３の考案によると、ブロック材として硬質発泡スチロールを使用し、また、棒状部材としてアルミニウムを使用する。なお、これら硬質発泡スチロールやアルミニウムは、ブロック材及び棒状部材の一例を示すものであって、物理的な性質が、これらと同等、特に硬さにおいて同等な部材であれば、これらに代えて他の材質の部材を使用することも可能である。
【００１６】
請求項４の考案によると、硬質発泡スチロールの発泡倍率が、１．６〜２０倍であるので、ブロック材に挿入穴をあける際に比較的容易にあけることができ、また、例えば、ブロック材を手で押した場合でもへこむようなことはない。つまり、加工が容易で、壊れにくい。
【００１７】
請求項５の考案によると、硬質発泡スチロールの発泡倍率が、２〜５倍であるので、加工の容易性や、壊れにくさの点においてさらに好適である。
【００１８】
請求項６の考案によると、四肢を屈曲させることで、肘や膝を表現することができるので、容姿についての選択の幅を広げることができる。
【考案を実施するための最良の形態】
【００１９】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２０】
図１を参照して、本考案に係る人形の一例を説明する。このうち、図１は人形を示す斜視図であり、手を後に回して寝ているポーズをとっている。
【００２１】
同図に示すように、人形は、ブロック材と棒状部材とを組み合わせることによって構成されている。ここで、ブロック材には、板材も含まれるものとする。本実施形態の場合、ブロック材の長さを短くすることで、容易に、板材を構成することができるからである。また、本実施形態では、ブロック材は、硬質発泡スチロールによって形成され、棒状部材は、変形容易なアルミニウムによって形成されている。
【００２２】
ここで、硬質発砲スチロールとしては、例えば、発泡倍率が１．６〜２０倍のものが好適である。発泡倍率が１．６未満の場合は、本考案において使用するには、硬すぎて切断作業や挿入穴の加工の作業性が低下する。逆に、２０倍を越えた場合には、例えば、逆に柔らかすぎて、後述のように、ブロック材に棒状部材を挿入して人形を構成した場合に、ブロック材が棒状部材の姿勢を保持できなくなるおそれがある。つまり、手足がその自重で自然に下がってしまうような不具合が発生することがある。発泡倍率としては、さらに好適には、２〜５倍程度がよい。本実施形態においては、実際には、発泡倍率が２．２の発泡スチロールを使用した。また、ブロック材は、柱状の素材を、適宜な長さに切断することで形成されている。この際、例えば、太さの異なる数種類の柱状の素材を準備しておくことにより、大きさの異なるブロック材に容易に対応することができる。なお、本実施の形態では、ブロック材として、底面の形状が正方形の四角柱と、底面の形状が円形の円柱を使用した。また、四角柱としては、１辺の長さが異なる３種類の四角柱、すなわち、１辺の長さがａ１，ａ２，ａ３（ただし、ａ２＜ａ１＜ａ３）の四角柱を使用した。
【００２３】
図１に示す人形は、ブロック材で形成された胴部１１、頭部１２、手１３、足１４、首１５、鼻１６、帽子１７を備え、また、棒状部材で形成された腕２１、脚２２を備えている。
【００２４】
胴部１１は、１辺の長さがａ１の正四角柱の素材を、高さｂ１に接断して使用した。胴部１１には、側面１１ａに後述する腕２１，脚２２の基端部２１ａ，２２ａを挿入するための挿入穴１１ｂ，１１ｃが形成されている。
【００２５】
頭部１２は、上述の胴部１１と同様の１辺の長さがａ１の正四角柱の素材を使用した。高さｂ２は、胴部１１の高さｂ１よりも低いｂ２に接断した。頭部１２の顔に相当する正面１２ａには、穴（不図示）があけられていて鼻１６が埋め込まれている。鼻１６は、円柱形の直径ｃ１のブロック材を適宜な高さに接断して使用している。なお、鼻１６は、埋め込んだ後、接着剤によって接着するようにしてもよい。
【００２６】
上述の胴部１１と頭部１２とは、首１５によって連結されている。首１５は、鼻１６と同じ円柱のブロック材を適宜な長さに接断した使用した。胴部１１の上面（不図示）と頭部１２の下面とには、それぞれ穴（不図示）があけられていて、これらの穴に、首１５の下部及び上部が埋め込まれている。このため、頭部１２は、胴部１１に対して首１５を中心に、自由に回転させることができるようになっている。なお、首１５は、胴部１１及び頭部１２に埋め込んだ後に、接着剤によって接着するようにしてもよい。
【００２７】
手１３は、１辺の長さがａ２の正四角柱の素材を、高さｄ１に接断して使用した。手１３には、その一部を切り欠いて傾斜面１３ａが形成されている。手１３には、後述する腕２１の先端部が挿入される挿入穴１３ｂが穿設されている。
【００２８】
足１４は、上述の手１３と同様の１辺の長さがａ２の正四角柱の素材を適宜な高さｄ２に接断して使用した。足１４には、後述する脚２２の先端部２２ｂが挿入される挿入穴１４ｂが穿設されている。
【００２９】
帽子１７は、鍔部１７ａと頂部１７ｂとを有している。このうち、鍔部１７ａは、１辺の長さがａ３の正四角柱の素材を、高さｅ１に接断して使用した。
また、頂部１７ｂは、上述の胴部１１や頭部１２と同様の１辺の長さがａ３の正四角柱の素材を、高さｂ３に接断して使用した。帽子１７は、上述の鍔部１７ａの上面中央に頂部１７ｂを接着剤で接着することによって構成されている。さらに、帽子１７は、上述の頭部１２の上面に対して、接着剤で接着されている。
【００３０】
腕２１は、棒状部材を屈曲させて肘２１ｃに相当する部分の形成し、基端部２１ａを上述の胴部１１の挿入穴１１ｂに挿入するとともに、先端部２１ｂを上述の手１３の挿入穴１３ｂに挿入している。ここで、胴部１１及び手１３に対する腕２１の嵌め合いについては、胴部１１、手１３の挿入穴１１ｂ，１３ｂに対して、腕２１の基端部２１ａ，先端部２１ｂを挿入したり、引き抜いたりする際には、比較的強い力が必要であり、挿入後には、腕２１がそのままの姿勢を維持できるようになっている。さらに、挿入後の胴部１１に対する腕２１の回転動作、及び腕２１に対する手１３の回転動作は、比較的弱い力で行えるようになっている。つまり、胴部１１に対する腕２１、及び腕２１に対する手１３の姿勢の変化を容易にできるようになっている。
【００３１】
脚２２は、棒状部材を屈曲させて膝２２ｃに相当する部分の形成し、基端部２２ａを上述の胴部１１の挿入穴１１ｃに挿入するとともに、先端部２２ｂを上述の足１４の挿入穴１４ｂに挿入している。ここで、胴部１１及び足１４に対する脚２２の嵌め合いについては、胴部１１、脚１４の挿入穴１１ｃ，１４ｂに対して、脚２２の基端部２２ａ，先端部２２ｂを挿入したり、引き抜いたりする際には、比較的強い力が必要であり、挿入後には、脚２２がそのままの姿勢を維持できるようになっている。さらに、挿入後の胴部１１に対する脚２２の回転動作、及び脚２２に対する足１４の回転動作は、比較的弱い力で行えるようになっている。つまり、胴部１１に対する脚２２、及び脚２２に対する足１４の姿勢の変化を容易にできるようになっている。
【００３２】
上述のように、ブロック材としては、硬質発砲スチロール製の１辺の長さが異なる（ａ１，ａ２，ａ３）の３種類の正四角柱を適宜な長さに接断して使用し、また１種類の円柱を適宜な長さに接断して使用している。また、棒状部材としては、アルミニウム製の１種類のものを適宜な長さに接断し、適宜に屈曲させて使用している。また、上述のように、胴部１１に対して腕２１，脚２２が、また腕２１，脚２２に対して手１３，足１４が容易に動くように構成されている。すなわち、本実施の形態に係る人形１０は、少ない種類の素材で、変化に富んだ種々のポーズを作り出すことが可能である。また、ブロックの素材として使用している硬質発砲スチロールの色を、例えば、木材に似た色を採用した場合には、腕２１及び脚２２の金属色と相俟って、ガーデニング用に鉢植え等に添えて装飾具として、興趣あふれる造形を創り出すことができる。
【００３３】
なお、図１に示す人形１０は、一例を示すものであって、他の形状や構成のものであってもよいのは言うまでもない。例えば、上述では、本考案を人間を模した人形に適応した場合を例に説明したが、これに限定されるものではなく、例えば、動物やロボットを模した人形に適用することも可能である。
【００３４】
また、以上の説明では、ブロック材として硬質発泡スチロールを、また、棒状部材としてアルミニウム製の棒を使用した場合を例に説明したが、本考案はこれに限定されるものではなく、これらとほぼ同等の物理的性質を有するものであれば、他のものを採用することもできる。
【図面の簡単な説明】
【００３５】
【図１】本考案に係る人形を説明する斜視図である。
【符号の説明】
【００３６】
１０        人形
１１        胴部
１１ｂ，１１ｃ，１３ｂ，１４ｂ
挿入孔
１２        頭部
１３        手
１４        足
１７        帽子
２１        腕
２２        脚
【図１】
0003132490.tif 000003
【手続補正書】
【提出日】平成19年4月3日(2007.4.3)
【手続補正１】
【補正対象書類名】実用新案登録請求の範囲
【補正対象項目名】全文
【補正方法】変更
【補正の内容】
【実用新案登録請求の範囲】
【請求項１】
ブロック材と棒状部材とを組み合わせることにより、種々のポーズをとりうる人形において、
前記ブロック材は、木材と比較して挿入穴の穿設が容易な硬質発泡スチロールによって構成され、
前記棒状部材は、容易に塑性変形させうるアルミニウムによって構成され、
前記ブロック材に穿設した前記挿入穴に前記棒状部材の端部を挿入することで容姿を形作るとともに、前記ブロック材は、前記挿入穴に挿入された前記棒状部材を所定の姿勢に保持し、かつ人手によって姿勢変化をさせるべく前記棒状部材に力が作用したときには、前記棒状部材の姿勢変化を容易に許容する、
ことを特徴とする人形。
【請求項２】
少なくとも胴部及び頭部が前記ブロック材によって構成され、
少なくとも四肢が前記胴部に挿入された前記棒状部材によって構成されている、
ことを特徴とする請求項１に記載の人形。
【請求項３】
前記硬質発泡スチロールの発泡倍率が、１．６〜２０倍である、
ことを特徴とする請求項２に記載の人形。
【請求項４】
前記硬質発泡スチロールの発泡倍率が、２〜５倍である、
ことを特徴とする請求項３に記載の人形。
【請求項５】
前記四肢が屈曲されている、
ことを特徴とする請求項２又は４のいずれか１項に記載の人形。
【手続補正２】
【補正対象書類名】明細書
【補正対象項目名】０００７
【補正方法】変更
【補正の内容】
【０００７】
請求項１に係る考案は、ブロック材と棒状部材とを組み合わせることにより、種々のポーズをとりうる人形において、前記ブロック材は、木材と比較して挿入穴の穿設が容易な硬質発泡スチロールによって構成され、前記棒状部材は、容易に塑性変形させうるアルミニウムによって構成され、前記ブロック材に穿設した前記挿入穴に前記棒状部材の端部を挿入することで容姿を形作るとともに、前記ブロック材は、前記挿入穴に挿入された前記棒状部材を所定の姿勢に保持し、かつ人手によって姿勢変化をさせるべく前記棒状部材に力が作用したときには、前記棒状部材の姿勢変化を容易に許容する、ことを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項３に係る考案は、請求項２に係る人形において、前記硬質発泡スチロールの発泡倍率が、１．６〜２０倍である、ことを特徴としている。
【手続補正５】
【補正対象書類名】明細書
【補正対象項目名】００１１
【補正方法】変更
【補正の内容】
【００１１】
請求項４に係る考案は、請求項３に係る人形において、前記硬質発泡スチロールの発泡倍率が、２〜５倍である、ことを特徴としている。
【手続補正６】
【補正対象書類名】明細書
【補正対象項目名】００１２
【補正方法】変更
【補正の内容】
【００１２】
請求項５に係る考案は、請求項２ないし４のいずれか１項に係る人形において、前記四肢が屈曲されている、ことを特徴している。
【手続補正７】
【補正対象書類名】明細書
【補正対象項目名】００１３
【補正方法】変更
【補正の内容】
【００１３】
請求項１の考案によると、アルミニウムの棒状部材を容易に屈曲させることができ、また、棒状部材を硬質発泡スチロールのブロック材の挿入穴に容易に挿入することができる。つまり、ブロック材及び棒状部材によって容姿を形作ることが容易である。さらに、ブロック材の挿入穴に挿入した棒状部材は、所定の姿勢を保持し、かつ姿勢変化をさせるための力が作用したときには、容易に姿勢変化する。つまり、姿勢変化させるための力が作用しない場合には、その姿勢を保持し、かつ簡単に姿勢変化をさせることができるので、容易に所望の容姿を形作ることができる。なお、これら硬質発泡スチロールやアルミニウムは、ブロック材及び棒状部材の一例を示すものであって、物理的な性質が、これらと同等、特に硬さにおいて同等な部材であれば、これらに代えて他の材質の部材を使用することも可能である。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項３の考案によると、硬質発泡スチロールの発泡倍率が、１．６〜２０倍であるので、ブロック材に挿入穴をあける際に比較的容易にあけることができ、また、例えば、ブロック材を手で押した場合でもへこむようなことはない。つまり、加工が容易で、壊れにくい。
【手続補正１０】
【補正対象書類名】明細書
【補正対象項目名】００１７
【補正方法】変更
【補正の内容】
【００１７】
請求項４の考案によると、硬質発泡スチロールの発泡倍率が、２〜５倍であるので、加工の容易性や、壊れにくさの点においてさらに好適である。
【手続補正１１】
【補正対象書類名】明細書
【補正対象項目名】００１８
【補正方法】変更
【補正の内容】
【００１８】
請求項５の考案によると、四肢を屈曲させることで、肘や膝を表現することができるので、容姿についての選択の幅を広げることができる。